(57)【要約】  本発明は、歯科医に患者の顎を処置およびリハビリテーションさせる方法およびシステムを革新し、この方法は、ブリッジロッドを含む第一の部分により有用になる。このブリッジロッド部分に対して、形態内にクランプを含む調整具が螺入されて、ロッド上の調整具をロッド上の異なる位置まで滑動することができる。調整具構成要素である第二の部分は、調整具の外部に螺合し得るねじなどの把持方法を含む。調整具などのねじはインプラントに螺合および連結され、複数の調整具が複数のインプラントに連結されるため、調整具は第一の部分であるロッドの部分に調整して定着させる。入れ歯内部で入れ歯に連結される第一の部分であるロッド上で入れ歯を把持するように調整される連結機構により、入れ歯が供給される。【選択図】なし【特許請求の範囲】
【請求項１】
本発明は、義歯のセットを患者の口に連結するための必要な準備として求められる組織的および構造的処置を前記患者の口内で歯科医に実施させる方法であって、技術の段階が以下を含み：
ａ．前記歯科医が、患者の口内の前記インプラントを前記歯科医に供給される義歯のセットに連結するために用いられるブリッジロッドを含む本発明のキットの第一の部分を使用し；前記ブリッジロッド（ポール）が、供給された調整具である第二の平滑機構（ｓｍｏｏｔｈ  ｍｅｃｈａｎｉｓｍ）の挿入を可能にする形態であり、前記調整具を前記歯科医が必要とする位置まで移動させる品質を有し；
ｂ．前記歯科医が、弓状ロッドに、前記キットの第二の部分である調整具を挿入し、一方で前記調整具が、特定パラメータ配置を含む前記調整具の一部で、前記弓状ロッドに挿入されて、前記弓状ロッド上で前記キットの第一の部分の前記調整具を挿入させて組み込ませることができ；
ｃ．前記調整具の配置が、下歯では前記患者の口内に設置される入れ歯の上部になり、または前記患者の上歯では植え込まれたインプラントの下部になる方法で、前記歯科医により連結される各器具において望ましい場所に達するまで前記ロッド上を滑動することにより調整が可能になるようにして、追加インプラントを配置して、前記歯科医が追加調整具を同じ弓状ロッドで滑動させる必要性を考慮しながら、前記歯科医が前記ポール上の前記調整具を所望の位置まで滑動させて組み込ませ；
ｄ．少なくとも２つの調整具が前記インプラントの位置を調整して配置されるようにして、前記歯科医が前記インプラントの位置において場所を調整させる前記弓状ロッド上の１つ以上の追加調整具を挿入し；
ｅ．ねじの各螺合により、調整具と前記嵌合するインプラントの間の連結を把持するようにして、螺合により可能になるねじなどの連結機構によって前記歯科医が前記調整具を前記インプラントに連結し；
ｆ．前記歯科医の行動により、本発明のキットの嵌合が可能になり、１つを超える調整具の把持および連結がそれぞれ１つを超えるインプラントに対して可能になり、インプラントに対する調整具の少なくとも２つの把握および連結ポイントの固定および設置が可能になり、ここで、前記義歯の内部に配置されて前記ブリッドロッドを把持するように調整された前記調整具を連結することにより、前記義歯を配置および把持する準備が整い、前記義歯を前記ロッド上で組み立てることが可能になるようにして、発明の方法およびシステムが有効になる、
、方法を導入する。
【請求項２】
前記歯科医が、様々なサイズを有する多数の調整具の中から調整具を選択し、前記調整具サイズが異なる手段が、下顎では設置された前記キット内のブリッジロッドの下部のエリアにあり、または上顎では設置された前記キット内の前記ブリッジロッドの上部に見られる前記調整具上のエリアにあり、ここで前記調整具のこれらのエリア内で可能な異なるサイズが、多数調整具の中から、特定のタイプのインプラントに適合するもの、例えば下顎においてインプラントを近接して配置した別のインプラントよりも深く配置させるものを前記歯科医が選択することができ、より背丈の高い調整部を有する調整具が選択されれば、調整具により、少なくとも２つのインプラントを前記調整具および前記ブリッジロッドに連結させることができる、請求項１に記載の方法。
【請求項３】
前記調整具を前記歯科医により計画された通り前記インプラントに連結する際に、最適な医療的方法で、そして前記義歯を前記弓状ロッドに効果的に設置させる方法で、前記システムが前記インプラントと前記弓状ロッドとの連結を可能にする、請求項１または２に記載の方法。
【請求項４】
前記ブリッジロッドが、場合によりある程度まで可撓性があり、歯科医が前記ブリッジロッドを個々の顎および前記患者の口内に入れられる器具の形状に曲げることができる、請求項１または２または３に記載の方法。
【請求項５】
義歯を患者の口に連結するための準備として必要な処置および構造を、前記歯科医が前記患者の口内で実施することが可能なシステムであって、前記システムの構成要素が、以下に列挙された通りであり：
ａ．本発明のシステムの第一の部分が、前記患者の口内のインプラントと前記歯科医に供給された前記義歯の間のコネクタとして機能するブリッジロッドを含み、そのようなロッドが、同じく提供された追加調整具装置の挿入を可能にする形状であり、これらが前記ブリッジロッドへの前記調整具の挿入と、前記歯科医に望まれる位置までの前記ブリッジロッド上の前記調整具の移動と、を可能にし、；
ｂ．前記ブリッジロッドが、場合によりある程度まで可撓性があり、歯科医が前記ブリッジロッドを個々の顎の形状および／または前記患者の口内に入れられる器具に曲げることができ；
ｃ．本発明のシステムの第二の部分が、前記調整具を前記ブリッジロッド上で歯科医に望まれる場所まで滑動させるようにして、前記キットの第一の部分であるブリッジロッド上の前記調整具の挿入および織込みを可能にする円形配置を含む調整具であり；
ｄ．本発明のシステムの第二の部分である調整具が、例えばねじを用いて、前記調整具を外部の物体に把持および連結するのに用いられる把持および連結機構を設置するために嵌合される追加部分を含み；
ｅ．前記調整具が前記患者の口および顎の中の前記インプラントの１つの位置の最上部に位置するようになるまで、前記歯科医が前記調整具を前記ロッド上で動かし、患者の口内で特定のインプラントの位置の上部の特定の連結場所で前記調整具および前記ブリッジロッドを固定するような手法で、ねじ機構などの連結のための手段を使用した前記調整具の連結および密閉が前記患者の口内のこの位置で実施され；
ｆ．各インプラントの最上部の前記調整具と前記ブリッジロッドの間で１つを超える調整具を調整して把持および連結させる選択が存在し、前記ブリッジロッドが２つ以上の接触ポイントで固定され、本発明のシステムが、義歯の配置および連結を調整することができ、前記義歯の内部に配置された前記調整具を連結することにより前記ブリッジロッド上で前記義歯を連結することが可能になり、前記ブリッジロッド上での把持のために調整される、
システム。
【請求項６】
様々なサイズおよび角度の調整具を前記歯科医に供給することによって、本発明の方法およびシステムにおける調整具が多数のサイズで供給される、請求項５に記載のシステムであって、ここで前記様々なサイズが、下歯では植え込まれた前記セットのブリッジロッドのエリアの下部に配置される前記調整具部分、または上歯では植え込まれた前記セットのブリッジロッドの上部に植え込まれた前記調整具構成要素により有用になり、これらの部分で可能になる多様なサイズが、多数の調整具の中から、特定のインプラントに適合する前記調整具、例えば下歯システムでは付近に配置される異なるインプラントよりも口内でより深く配置されたインプラントの前記調整具を前記歯科医が選択できるようにし、より背丈の高い調整具を選択して、両方のインプラントと前記ブリッジロッドと前記調整具との調整および連結を可能にする、システム。
【請求項７】
底部に開口部のみを有する円形配置を含み、一方の側では前記ブリッジロッドへの圧力、他方の側では義歯の中空エリアへの圧力によって連結される、義歯の内部に配置された前記コネクタが、本発明のシステムにおいて、本発明の方法およびシステムと同様に前記義歯を前記コネクタに連結および把持させることができる方法で、上部が円形ではなくむしろ平坦であるプラットフォームを上部内に含む構造的配置を有するコネクタにより有用になる、請求項５または６に記載のシステム。
【請求項８】
前記歯科医の計画に従って前記調整具を前記インプラントに把持する際に、最適な医療的手法で、前記義歯を前記ロッド上に効果的に配列させることができるようにして、前記調整具と前記インプラントと前記弓状ロッドとの把持および固定を可能にする、請求項５または６または７に記載のシステム。
【発明の詳細な説明】
【技術分野】
【０００１】
本発明は、人の顎の処置およびリハビリテーションの分野のものであり、より具体的には本発明は、歯科医がサイズに関する情報を送信すること、または歯科技工所から義歯を保持するための考案を受け取ることを必要とせず、そうして処置の時間およびコストを削減しながら、患者の顎にシステムを植え込むことができるように、患者の口内で義歯のインプラントを可能にする方法およびシステムである。
【背景技術】
【０００２】
人の歯および顎が、生涯を通して処置、保守およびリハビリテーションを必要とするシステムであることは、歯科分野の当業者に公知である。人の歯の大半が、人の生涯全体で適切な状態で持ちこたえることはなく、現実には、歯および顎の処置、保守およびリハビリテーションが不可避である。
【０００３】
処置およびリハビリテーションの分野において、既存の解決策の１つは、患者の顎にトランスプラントを設置し、入れ歯、義歯をインプラント上に連結させることである。
【０００４】
本発明以前は、当該分野において利用可能な方法および技術を用いれば、適合させて、把持機構を含むブリッジを歯科技工所から受け取り、患者口内に挿入されたインプラントに把持機構を嵌合させて連結し、次に内部に挿入されてかけがねに嵌合される把持機構を含む入れ歯の嵌合を実施して、ブリッジ装置とこのデバイスに連結するため、該方法は歯科医と歯科技工所とでより早期に計画を立てることを必要とする。
【０００５】
初期の技能を用いる歯科医は、インプラント間の測定および、個々の顎に関する各インプラントの深さおよび角度について測定を実施する。これらの測定に従い、この情報は歯科技工所に発送されて、歯科技工士がそのような連結ブリッジ−ロッド構造の固定された非動的モールドを作製し、その際、同じ位置がインプラントに螺合する連結機構となる。歯科医は、そのようなキットを受け取り、それを患者の口内に設置するが、不正確さが原因で変更が必要となり、キットが歯科技工士に戻されることが多い。
【０００６】
初期の技能を用いたシステムおよび方法は、両者間、つまり歯科医と歯科技工所との間で、入れ歯を連結させる基盤構造の道具を運搬する必要がある。加えて、歯科技工士の作業が患者が近傍にいないところで、間接的に行われること、および既存のシステムが煩雑で、その結果、患者の所持金から支払われるような場合に、その費用が高額であるなどの問題点が挙げられる。
【０００７】
現代では、個人の財力を超える費用であることから、義歯および実歯に全く注意を払わずに高齢に達する人が多いため、患者の費用を低減させるために、義歯およびそれを取り付ける基盤構造のケアおよび設置についての既存の方法およびシステムを改善および革新することが求められている。
【発明の概要】
【発明が解決しようとする課題】
【０００８】
本発明によって、義歯の把持のために基盤構造を準備する道具を外部の歯科技工所に運搬する必要がある方法およびシステムが旧式となり、入れ歯のみ歯科技工所から受け取るが、処置およびリハビリテーションの期間に時間費用を短縮させながら、歯科医の支援のみで該方法およびシステム内での治療が可能になる。
【課題を解決するための手段】
【０００９】
発明の概要
前述の一般的記載および以下の詳細な記載は両者とも本発明の実施形態を表しており、請求された発明の性質および特徴を理解するために概要または枠組みを示すためのものと理解されたい。添付の図面は、本発明の更なる理解を与えるために含まれており、本明細書に組み込まれ、その一部を構成している。図面は、本発明の様々な実施形態を例示しており、明細書と共に、本発明の原理および操作を説明しており、本発明をこれらの説明のみに限定するものではない。
【００１０】
本発明は、システムおよび方法を革新しており、患者の口に義歯のセットを連結することが可能な方法で、歯科医が患者の口内に必要となるシステムおよび構造のケアを実施できるようにする。そのような方法およびシステムの構成要素は、以下の通りである。
ａ．歯科医は、患者の口内のインプラント間、そして歯科医に供給された義歯セット間を連結するよう指定されたブリッジロッドを含む、本発明の第一の部分を利用する。そのようなブリッジロッドは、供給された調整具である第二の構成要素を挿入させる形態である。そのような調整具は、ブリッジロッドの長さに沿って歯科医が必要とする位置まで調整具を移動できる特徴を有する。
ｂ．本発明の第二の部分である調整具は、歯科医の見解に対して必要となる位置までロッド上で滑動できるようになり、システムの第一の部分であるブリッジロッド上での調整具の挿入および織込みを可能にする特定の周辺構造を含む。
ｃ．本発明の一部の構成要素である調整具は、調整用構成要素に加えて、調整具をねじなどの外部媒介物に把持および連結する、把持および連結機構を挿入するために嵌合される構成要素を含む。
ｄ．歯科医は、ブリッジロッド上の調整具を、患者の顎および口に植え込まれたインプラントの１つの場所の上部にある調整具の位置まで滑動させ、この位置では、患者の口内の特定のインプラントの位置の上部にある特定の連結位置で調整具およびロッドの固定する方法で、患者の口内に植え込まれたインプラントの１つに螺合されるねじなどの連結手段を用いて、調整具の連結および固定が実施される。
ｅ．１つを超える調整具が、１つを超えるインプラントと連携して異なる位置の上部で、１つを超える位置で調整具とブリッジロッドとの間で把持、連結され、２つを超える連結ポイントの間のブリッジロッドの固定が実施される。義歯の内部に位置し、ブリッジロッド上で把持するように嵌合された調整具を連結することにより、義歯の配置および設置の準備が整い、ロッド上での義歯の取り付けが可能になる方法で、本発明の方法およびシステムが有効になる。
ｆ．本発明の方法およびシステムにおける調整具は、歯科医に様々なサイズの調整具が供給されることによって、多数のサイズで供給される。下歯に植え込まれたセットのブリッジロッドエリアの下で見られる調整具構成要素または上歯に植え込まれたセットのブリッジロッドの上部に植え込まれた調整具構成要素では、サイズが多様であることは有用である。また、これらの部品において様々なサイズが有用であることから、歯科医は多数の調整具の中から、特定のインプラントに適合する調整具、例えば下歯システムにおいて付近に位置する別のインプラントよりも口内に深く位置するインプラントのための調整具、または、両方のインプラント、ブリッジロッド、調整具との間で調整および連結が可能なように、より背丈の高い調整具などを選択できる。
ｇ．義歯の内部に設置するコネクタは、底部にブリッジロッドに圧力を加えることによって連結され得る開口部のみを有する円状構造を備える。このコネクタは、本発明のシステムにおいて、本発明の方法およびシステムを用いて、より効果的に配置するために嵌合された義歯を、調整具が連結および把持できる方法で、上部内にプラットフォーム（プラットフォームの上部は円形でなく、むしろ平坦である）を含む構造形態によって有用になる。
【００１１】
本特許出願において添付された図面は、本発明についてより視覚的な理解を与えるために存在し、その要件および本発明の不可欠な部分である。図面は、本発明の異なる機能を記載しており、先に言及された事柄全てに加えて、原理および操作方法を説明する目的のものであり、決して本発明を限定するものではない。
【図面の簡単な説明】
【００１２】
【図１】本発明に含まれる実施例を示すフローチャートであり、本発明のシステムおよび方法を示す。
【図２】本発明が効力を発する上で含まれる実施例を示す記載の１つの概略的実践法であり、本発明のシステムが有効になるキット部品の構成要素および配置を示す。
【図３】本発明が効力を発する上で含まれる実施例を示す実践法の別の略図であり、本発明におけるシステムに関してキット部品が連結された場合のキット部品の構成要素および配置を示す。
【発明を実施するための形態】
【００１３】
好ましい実施形態の記載
付属書類の見取り図および本発明者らが参照する見取り図の記載は、本発明を更に理解する目的で本特許出願に含まれ、この要件の一部として含まれ、構成する。見取り図の記載は、本発明の異なる態様のより詳細な説明を図面と共に示しており、本特許要求文書の残り部分は、本発明の原理および実施手法を説明する目的のものであり、この全てが例示に過ぎず、これらの記載およびそれらのみに限定する目的ではない。
【００１４】
１．図１は、本発明に含まれる実施例を記載するフローチャートであり、本発明の方法を示す。この方法により、歯科医は、患者の口に入れ歯を連結するために求められる準備として必要な組織的および構造的処置を患者の口内で実施することができる。この方法の段階を以下に列挙する。
歯科医は、歯科医に供給される本発明のキットの第一の部分を使用する。このキットには、患者の口内のインプラント間を連結するために用いられるブリッジロッドと、インプラントと、義歯と、を含む。ブリッジロッドは、提供された調整具である第二の部分を挿入させる形状である。供給された調整具は、ブリッジロッド上で歯科医の所望の位置まで滑動させることができる品質を有する。
歯科医は、ブリッジロッド上に、キットの第二の部分である調整具を挿入する。調整具は、円形形状を含む部分において弓状ロッドに挿入し、弓状ロッド上にある該システムの第一の部分の最上部で調整具を組み込ませる。歯科医は、各調整具の位置が、下歯では患者の口内に植え込まれたインプラントの上部になり、または上歯では患者の口内に植え込まれたインプラントの下部になる手法で、ブリッジロッド上の調整具を歯科医の選択による正しい位置まで滑動させることが可能になる手法で、更なる調整具を同じ弓状ロッド上で滑動させる他のインプラントを配置させる必要性を考慮しながら、ロッド上の調整具を所望の位置まで滑動させて組み込ませる。
歯科医は、少なくとも２つの調整具がインプラントの位置と調整して配置されるようにして、１つ以上の追加調整具を弓状ロット上で挿入して、インプラントの位置と調整させる。
歯科医は、ねじの各螺合により調整具と適切なインプラントの連結が得られる手法で、螺合を介して可能になるねじなどの連結機構を利用して、調整具をインプラントに連結する。歯科医の行動により、本発明のキットの組み立てが行われ、１つを超える調整具の、１つを超えるインプラントへの連結および把持が行われ、調整具とインプラントの少なくとも２つの把持および連結ポイント間でロッドが固定され、本発明の方法およびシステムが有用になる。
そのようにして、義歯は配置および把持される準備が整い、調整されてブリッジロッド上で把持する準備が整った義歯の内部に配置された調整具を連結することにより、義歯をロッド上に配置させることができる。
言及された方法では、下歯では植え込まれたセットのブリッジロッドエリアの下部に見られる調整具構成要素において、または上歯では植え込まれたセットのブリッジロッドの上部に植え込まれた調整具構成要素において、調整具の様々なサイズおよび角度が有用になる。また、これらの部品において様々なサイズが有用であることから、歯科医は、様々なサイズの調整具の中から、特定のインプラントに適合する調整具、例えば下歯のシステムにおいて付近に位置する別のインプラントよりも口内により深く位置するインプラントのための調整具、または、両方のインプラント、ブリッジロッド、調整具との間で調整および連結が可能なように、より高い調整具などを選択できる。
【００１５】
図２は、本発明の構成要素を含む実施例１００を記載する略図であり、本発明のシステムが有用になるキットの部品の構成要素および配置を示す。この構成要素は、義歯１１２を把持するように指定されたブリッジロッド１０２である第一の部分と、該ロッド１０２の長さ全体にわたり挿入および滑動され得る調整具１０４である第二の部分と、を含む。この調整具には、他のインプラントに対して１つのインプラント１０８の深さおよび様々な傾斜角の解決策として、異なるサイズの調整を行うことを含む。この調整部１０４は、調整具１０４とインプラント１０８を連結し得るねじ１１０などの螺合機構の挿入が可能な１０６を把持する方法を含む。
【００１６】
図３は、本発明のシステムに関する、本発明の構成要素を含む実施例１５０を記載する略図であり、該構成要素と、それらの構成要素が取り付けられた時の配置を示す。該構成要素は、義歯１５６を把持するように指定されたブリッジロッド１５２である第一の構成要素と、ロッド１５２の長さ全体にわたり挿入および滑動され得る調整具１５４である第二の構成要素と、を含み、１つの調整具１５８の、他の調整具に対する深さおよび様々な傾斜角の解決策として、異なるサイズの調整を含む。この調整部は、幾つかの把持手段を含み、調整具１５４とインプラント１５８を連結し得るねじなどの連結機構の挿入を可能にする。適切な調整具を把持する際に、調整具１５４と、インプラント１５８およびブリッジロッド１５２との把持および固定は、最適な医療的手法、別のタイプのコネクタ１６０を用いて義歯１５６をロッド１５２上に設置させる方法で可能になる。ブリッジロッドは、場合によりある程度は可撓性があり、歯科医は、ブリッジロッドを個々の顎の形状および／または患者の口内に入れられる器具に曲げることができる。
【図１】
2015523134.tif 000002
【図２】
2015523134.tif 000003
【図３】
2015523134.tif 000004
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
本発明は、先行技術では少なくとも２人により同時ではなく２つの場所で実施された２つの処置を、歯科医および歯科技工士により、１人、つまり専門職の歯科医により１度で同じ場所でできるようにし、実施するように指定された方法であって；
患者の口内で、インプラントの連結、およびインプラントへブリッジロッドの連結の両方を同時にそして１度の処置で歯科医に実施させ、前記患者の口に「義歯」の幾つかのセットを保持するように指定された、方法を誘導し；
技術のそのような方法における段階が以下の通りであり；
ａ．前記歯科医が、前記歯科医に供給された、患者の口内で一方の側から前記インプラントに連結された「半可撓性ブリッジロッド」を含む、義歯のセットを保持するように指定された、本発明の「キット」の第一の部分を使用し、前記ポール（ブリッジロッド）が、供給されたアダプターである別の部分の挿入を可能にする配置を有し、幾つかのインプラントの位置に並行な、前記「ブリッジロッド」上の必要な場所に前記アダプターを移動させることが可能な品質を有し；
ｂ．前記歯科医が、前記キットの上述の第二の部分であるアダプターを前記「ブリッジロッド」に挿入し、ここで、前記アダプターは、前記アダプターの円形環状形態により弓状ロッドに挿入され、前記キットの第一の部分の前記アダプターは、前記ブリッジロッド上で挿入して組込むことができ；
ｃ．それぞれ連結されたインプラントおよび前記入れ歯の一部である患者が保持する「義歯」に、各アダプターを配置させる方法で、前記歯科医が、同じブリッジロッド上で追加アダプターを滑動する追加インプラントを配置させる必要性を考慮しながら、前記ブリッジロッド上の前記アダプターを所望の位置まで滑動させて組み込ませ；各アダプターが、歯科医により、望ましい場所が連結されるべき各器具に達するまで前記ブリッジロッド上を滑動させることにより有用になり；
ｄ．前記ブリッジロッドを前記器具に連結させるため、および前記義歯および前記ブリッジロッドを前記アダプターに連結することにより前記「義歯」を前記ブリッジロッドに連結させるために、少なくとも２つのアダプターが必要となる方法で、前記歯科医が前記ブリッジロッド上に１つ以上の追加アダプターを挿入し、前記インプラントの位置に従ってそれらの場所を調整し；
ｅ．ねじの各螺合による把持が幾つかのアダプターと幾つかの嵌合するインプラントとの間を連結させることができる方法で、前記歯科医が、螺合により可能になるねじなどの連結機構によって、前記アダプターを前記インプラントに連結し；
ｆ．前記歯科医が前記「キット」を各患者に嵌合させて、「前記半可撓性ブリッジロッド」および少なくとも２つのアダプターをそれぞれ１つを超えるインプラントに嵌合させ、インプラントへのアダプターの少なくとも２つの把握および連結ポイントの固定および設置が可能になり、前記義歯を配置および把持する準備が整い、前記義歯の内部に配置され前記ブリッジロッドを把持するように調整されたアダプターを連結することにより、前記義歯を前記ブリッジロッド上で組み立てることが可能になる方法で、本発明の方法およびシステムが有用になり；
ｇ．前記方法が、半可撓性ブリッジロッドが場合によりある程度まで可撓性であり、前記歯科医が前記ブリッジロッドを個々の顎および前記患者の口内の器具の形状に曲げることができることを記載している、
方法を導入する。
【請求項２】
前記歯科医が、多数の異なるサイズのアダプターの中からアダプターを選択し、アダプターの多様なサイズにより、前記歯科医がインプラントおよび患者の顎の特定のタイプに適合する１つのアダプターを選択することができ、例えばインプラントの場所が前記顎の別の器具よりも低い場合には前記インプラントを別のインプラントよりも深く配置させることができ、そのような環境において、より背丈の高い調整具部品を有するアダプターが選択され、アダプターに少なくとも２つのインプラントを前記アダプターに連結させることができ、そのようなアダプターが前記ブリッジロッドに連結される、請求項１に記載の方法。
【請求項３】
前記アダプターを前記歯科医により計画された通り前記インプラントに連結する際に、前記システムが、最適な医療的方法で、かつ、前記義歯を前記半可撓性ブリッジロッド上に効果的に設置することができる方法で、前記インプラントと前記半可撓性ブリッジロッドとの連結を可能にする、請求項１または２に記載の方法。
【請求項４】
本発明は、先行技術では少なくとも２人により同時ではなく２つの場所で実施された２つの処置を、歯科医および歯科技工士により、１人、つまり専門職の歯科医により１度で同じ場所でできるようにし、実施するように指定されたシステムであって；
患者の口内で、インプラントの連結、およびインプラントへブリッジロッドの連結の両方を同時にそして１度の処置で歯科医に実施させ、前記患者の口に「義歯」の幾つかのセットを保持するように指定された、システムを誘導し；
技術のそのようなシステムが以下の通りであり；
ａ．前記歯科医が、患者の口内で一方の側から前記インプラントに連結された「半可撓性ブリッジロッド」を含み、前記歯科医に供給された義歯のセットを保持するように指定された、本発明の「キット」の第一の部分を使用し、前記ポール（前記ブリッジロッド）が、供給されたアダプターである別の部分の挿入を可能にする配置を有し、幾つかのインプラントの位置に並行な、前記アダプターを前記「ブリッジロッド」上の必要な場所に移動させることが可能な品質を有し；
ｂ．前記歯科医が、前記キットの上述の第二の部分であるアダプターを前記「ブリッジロッド」に挿入し、ここで前記アダプターが、前記アダプターの円形環状形態により弓状ロッドに挿入され、前記キットの第一の部分の前記アダプターを前記ブリッジロッド上で挿入して組み込むことができ；
ｃ．それぞれ連結されたインプラント、および前記入れ歯の一部である患者が保持する「義歯」に、各アダプターを配置させる方法で、前記歯科医が、同じブリッジロッド上で追加アダプターを滑動する追加的インプラントを配置させる必要性を考慮しながら、前記ブリッジロッド上の前記アダプターを所望の位置まで滑動させて組み込ませ；ここで各アダプターが、歯科医により、望ましい場所が連結されるべき各器具に達するまで前記ブリッジロッド上を滑動させることにより有用になり；
ｄ．前記ブリッジロッドを前記器具に連結させるため、ならびに前記義歯および前記ブリッジロッドを前記アダプターに連結することにより前記「義歯」を前記ブリッジロッドに連結させるために、少なくとも２つのアダプターが必要となる方法で、前記歯科医が前記ブリッジロッド上に１つ以上の追加アダプターを挿入し、前記インプラントの位置に従ってそれらの場所を調整し；
ｅ．ねじの各螺合による把持が幾つかのアダプターと幾つかの嵌合するインプラントとの間の連結となる方法で、前記歯科医が、螺合により可能になるねじなどの連結機構によって、前記アダプターを前記インプラントに連結し；
ｆ．前記歯科医が前記「キット」を各患者に嵌合させて、「前記半可撓性ブリッジロッド」および少なくとも２つのアダプターをそれぞれ１つを超えるインプラントに嵌合させ、ここで、インプラントへのアダプターの少なくとも２つの把握および連結ポイントの固定および設置が可能になり、ここで、前記義歯を配置および把持する準備が整い、前記義歯の内部に配置され前記ブリッジロッドを把持するように調整されたアダプターを連結することにより、前記義歯を前記ブリッジロッド上で組み立てることが可能になる方法で、本発明の方法およびシステムが可能になり；
ｇ．前記システムが、半可撓性ブリッジロッドが場合によりある程度まで可撓性であり、前記歯科医が前記ブリッジロッドを個々の顎および前記患者の口内の器具の形状に曲げることができることを記載している、
システムを導入する。
【請求項５】
前記歯科医が、多数の異なるサイズのアダプターの中からアダプターを選択し、アダプターのサイズが多様であることにより、前記歯科医がインプラントおよび患者の顎の特定のタイプに適合する１つのアダプターを選択することができ、例えばインプラントの場所が前記顎の別の器具よりも低い場合には前記インプラントを別のインプラントよりも深く配置させることができ、そのような環境において、より背丈の高い調整具部品を有するアダプターが選択されて、アダプターに少なくとも２つのインプラントを前記アダプターに連結させることができ、そのようなアダプターが前記ブリッジロッドに連結される、請求項４に記載のシステム。
【請求項６】
前記アダプターを前記歯科医により計画された通り前記インプラントに連結する際に、前記システムが、最適な医療的方法で、前記義歯を前記半可撓性ブリッジロッド上に効果的に設置することができる方法で、前記インプラントと前記半可撓性ブリッジロッドとの連結を可能にする、請求項４または５に記載のシステム。
【国際調査報告】
2015523134.tif 000005
2015523134.tif 000006